(57)【特許請求の範囲】
【請求項１】
文書データから固有名詞又は日付表現を含む文を重要文として抽出する文書情報抽出手段と、文書データを表示する表示手段とを備える文書情報抽出装置において、前記表示手段に前記文書データをスクロール表示させる表示制御手段と、前記文書情報抽出手段で抽出された重要文をスクロールさせる時にスクロール速度を遅くするスクロール速度自動調節手段とを備えることを特徴とする文書情報抽出装置。
【請求項２】
前記表示手段が表示している重要文の表示属性を制御する表示属性自動調節手段を備えることを特徴とする請求項１記載の文書情報抽出装置。
【請求項３】
抽出の対象とする複数の文書データを管理する抽出対象文書管理手段と、複数の重要文を１つにまとめる抽出情報結合手段とを備えることを特徴とする請求項１記載の文書情報抽出装置。
【請求項４】
前記複数の文書データの抽出の順序を決定する処理順序決定手段を備えることを特徴とする請求項３記載の文書情報抽出装置。
【請求項５】
前記複数の文書データの重要文の表示順序を決定する表示順序決定手段を備えることを特徴とする請求項３記載の文書情報抽出装置。
【請求項６】
抽出対象である文書データとその重要文との対応を管理する抽出結果対応管理手段と、ユーザからの入力指示を受けて、その時点で表示手段が表示している重要文に対し、前記抽出結果対応管理手段が管理している対応する元の文書データを表示手段に表示させる元文書データ表示指示手段とを備えることを特徴とする請求項１記載の文書情報抽出装置。
【請求項７】
コンピュータを請求項１〜６のいずれかに記載の文書情報抽出装置として機能させるためのプログラムを記録したことを特徴とするコンピュータ読み取り可能な記録媒体。
【発明の詳細な説明】
【０００１】
【発明の属する技術分野】
本発明は、１つの、あるいは複数の文書データから特定の情報、例えば要約情報を抽出してユーザに提示する文書情報抽出装置において、特にユーザインタフェースに着目した文書情報抽出装置である。
【０００２】
【従来の技術】
従来、電子化された文書データから情報を抽出する技術として、最も単純な例の一つにＫＷＩＣを挙げることができる。ＫＷＩＣとは key word in context の略で、ある特定の単語、あるいは単語に限らず任意の文字列に関して、その文字列を含む前後の一定長の文字列を抽出し、表示を行う技術である。図７はＫＷＩＣの実行結果例であるが、この図では文書データ中に出現する指定単語「文書データ」を中心としてその前後の文章の表示が行われている。ＫＷＩＣは特定の単語に関して、その単語が使用される前後の文脈の把握が容易であるため、情報検索装置におけるキーワード検索機能などにおいて非常に頻繁に利用される技術である。
【０００３】
文書データから情報抽出を行うもう少し複雑な例としては、文書中の重要文抽出技術や文書要約技術を挙げることができる。
重要文抽出技術とは文字どおり、文書中で重要度が高いと思われる文を抽出し、表示を行う技術である。この技術は文書データ、特にサイズの大きい文書データに対して、重要度が高いと判定された文のみを抜き出して表示を行うことにより、装置の使用者がより少ない労力で文書データの概略把握を行えるような手段を提供することを目的とするものである。文の重要度の判定には、自然言語処理と呼ばれる技術に属する構文解析技術や意味解析技術が使用されることが多い。
【０００４】
文書要約技術は、単純に文書データから抽出した情報をそのまま表示するのではなく、抽出した情報をさらに加工し、再構成してから表示する点に特徴がある。例えば文書データから重要と思われる単語や文、あるいは段落といった情報の抽出を行うのであるが、抽出した情報をそのまま並べて表示するのではなく、人間にとって読みやすい文となるような処理を加えてから表示する。
【０００５】
このような抽出情報に対する加工、再構成の処理にも自然言語処理技術が頻繁に使用される。例えば抽出した文間への接続詞の挿入、文脈処理による主語や目的語の補完、文の態の変換などである。
このように文書要約技術は、正確には情報抽出にとどまる技術ではなく、抽出した情報を更に加工、再構成する技術をも含んでいるが、一般にはこの両者をあわせて情報抽出と呼ぶことも多く、本発明においてもこのような意味で情報抽出という言葉を用いることにする。
【０００６】
重要文抽出技術や文書要約技術に関する実現手段としてはすでにいくつもの方法が提案されており、例えば言語処理学会第４回年次大会ワークショップなどにおいても効率的、高精度な方法の提案が行われている。
重要文抽出技術については、商用のシステムにおいてもワードプロセッサの１機能等として使用されている。
またこれらの他にも、固有名詞を含む文の抽出や、日付表現を含む文の抽出など、様々な形での情報抽出装置が提案、実現されている。
【０００７】
このような情報抽出技術は、近年のワードプロセッサやパーソナルコンピュータ、あるいはインターネットの普及によって益々増大する傾向にある大量、大容量の電子化文書データの中から、ユーザにとって必要な情報をすばやく探し出すという情報検索の目的、あるいは文書の概略をユーザがすばやく理解できるような手段を提供するという速読支援の目的で使用されるのがこれまで一般的である。
【０００８】
そのためこのような技術を備えた文書情報抽出装置においては、抽出結果をユーザに提示する際の表示の形態として、抽出結果の一覧性に重点が置かれることが多い。すなわち、大量の文書データの中から何らかの情報を取り出す必要に迫られているユーザを前提とし、ユーザがその目的をより効率よく、より短時間で達成できるような手段を提供するための表示形態である。
【０００９】
このような表示形態は大量、大容量の文書データを取り扱う際の労力を減少させ、作業の能率を向上させたいという欲求から生まれた実利的な方法であるが、近年のインターネットの普及による電子メール、電子掲示板、あるいはＷＷＷ(World Wide Web)と呼ばれるハイパーテキスト形式での文書データの流通は一方で、大量、大容量の文書データの閲覧、編集、管理を好み、それ自体に娯楽性を感じるユーザをも生み出している。
【００１０】
【発明が解決しようとする課題】
このようなユーザにとっては情報抽出技術自体が有用であり、インターネット上の検索エンジンなどのように情報抽出技術が搭載された装置が頻繁に使用されることに変わりはないが、一覧性を重視した従来の表示形態は必ずしもユーザの嗜好を満たすものではなかった。
【００１１】
またこれとは別に、例えば現在のパーソナルコンピュータにおいて主流となっているような、複数のプログラムモジュールを同時に実行可能であるマルチタスクオペレーティングシステム上で実現された文書情報抽出装置について考えてみると、ユーザは装置が備える情報抽出の機能を利用する一方で、装置が備える別の機能、例えば文書作成のためのワードプロセッサ機能や、あるいはゲームの機能などを同時に実行するといった、いわゆる「ながら作業」となるような利用状況が頻繁に発生する。
【００１２】
このような利用状況において一覧性を重視した従来の表示形態では、表示手段において相当部分の表示領域を占有して結果の表示を行う必要があり、ユーザが別の作業のために使用できる表示領域が限られたものになってしまうという問題があった。
本発明は、上記問題点に鑑み、文書データから抽出された情報を限られた表示領域に表示する際に、ユーザにとって読み取りやすいスクロール速度となるように制御する文書情報抽出装置を提供することを目的とする。
【００１３】
【課題を解決するための手段】
本発明の文書情報抽出装置は、文書データから固有名詞又は日付表現を含む文を重要文として抽出する文書情報抽出手段と、文書データを表示する表示手段とを備える文書情報抽出装置において、前記表示手段に前記文書データをスクロール表示させる表示制御手段と、前記文書情報抽出手段で抽出された重要文をスクロールさせる時にスクロール速度を遅くするスクロール速度自動調節手段とを備えるものである。
【００１４】
また、前記表示手段が表示している重要文の表示属性を制御する表示属性自動調節手段を備える。また、抽出の対象とする複数の文書データを管理する抽出対象文書管理手段と、複数の重要文を１つにまとめる抽出情報結合手段とを備える。また、前記複数の文書データの抽出の順序を決定する処理順序決定手段を備える。また、前記複数の文書データの重要文の表示順序を決定する表示順序決定手段を備える。
【００１５】
また、抽出対象である文書データとその重要文との対応を管理する抽出結果対応管理手段と、ユーザからの入力指示を受けて、その時点で表示手段が表示している重要文に対し、前記抽出結果対応管理手段が管理している対応する元の文書データを表示手段に表示させる元文書データ表示指示手段とを備える。
【００１６】
本発明のコンピュータ読み取り可能な記録媒体は、コンピュータを上述の文書情報抽出装置として機能させるためのプログラムを記録している。
【００２０】
【発明の実施の形態】
以下添付図面を参照しながら本発明の好適な実施の形態について詳細に説明する。
図１は本発明の一実施の形態による表示の一例であり、時間経過にともなって徐々に表示がスクロールされる様子を表している。表示領域に表示しきれない分量の情報を表示するときに、先頭部分から徐々に表示を行って、表示領域がいっぱいになった時点で先頭部分の情報の表示を消去し、消去した部分を詰めるようにして現在の表示位置を移動、再表示させ、それによって新しく利用可能となった表示領域に続きの情報を表示するという手順を繰り返して順に全情報を出力する手法がスクロール表示であり、このようなスクロール表示は、表示領域の限られた表示装置を持つおおかたの情報処理装置一般で非常に頻繁に用いられる手法である。表示を書き換えて続きの情報を表示するタイミングとしては、表示すべき情報が装置によって生成・用意された時点、あるいはユーザが何らかの指示手段によって指示を行った時点で行われるのが通常である。
【００２１】
図２は、本発明の一実施の形態の構成を示すブロック図である。
記憶装置１は、磁気ディスク等の磁気記憶装置、ＣＤ−ＲＯＭ等の光記憶装置、ＲＡＭ等の半導体記憶装置など、一般の計算機において使用される記憶装置１でよく、文書データはこの記憶装置１のファイルシステム上に格納される。
【００２２】
文書情報抽出手段８は、文書データから何らかの情報を抽出するための手段であり、例えば文書データから特定の情報を抽出するためのアルゴリズムを記述したソフトウェア、およびそのソフトウェアを実行するＣＰＵにより実現可能である。
表示手段１４にはＣＲＴやＬＣＤなど、リアルタイムで表示の更新が可能な一般の表示装置を使用することができる。
表示制御手段１３は、表示手段１４に対して表示情報を送出するための手段であり、例えば表示手段に対するドライバーソフトウェアとして実現可能である。このドライバーソフトウェアは、表示手段における表示内容を一定期間毎に更新できるように設計された通常のドラバーソフトウェアでよい。
【００２３】
スクロール速度制御手段１５は、表示情報のスクロールが所定の速度となるよう表示制御手段１３に対してタイミング信号を送出するための手段であり、例えば一定期間毎に割り込み信号を発生させるタイマー装置と、その割り込み信号をもとにして表示装置１４における表示更新のタイミングを制御するソフトウェアとして実現可能である。このソフトウェアは、割り込み信号をカウントし、一定カウント毎に表示制御手段１３に対してタイミング信号を送るといったアルゴリズムのものでよい。
【００２４】
文書情報抽出手段８のアルゴリズムとしては様々なものが考えられるが、文書データ中から例えば重要度の高い文を抽出するアルゴリズムによって実現することができる。
特開平６−２１５０４９号公報において文書中の要約を抽出する手順が説明されており、例えばこのようなアルゴリズムを用いることで、実現することが可能である。
文書情報抽出手段８を、文書データ中から固有名詞を含む文を抽出するアルゴリズムにより実現することもできる。
【００２５】
特公平７−７４１９号公報において、文書中の固有名詞をより高い精度で検出する手順が説明されており、例えばこのようなアルゴリズムを用いることで、実現することが可能である。
文書情報抽出手段８を、文書データ中から日付表現を含む文を抽出するアルゴリズムにより実現することもできる。
特開平５−１５８９７１号公報において、文書中の日付表現を柔軟に検出するための手順が説明されており、例えばこのようなアルゴリズムを用いることで、実現することができる。
【００２６】
スクロール速度ユーザ設定手段１７は、ユーザの好みにスクロール速度を設定するための手段であり、これはキーボードなどユーザが設定を指示するための手段と、その設定内容を記憶するメモリーにより実現可能である。メモリーの内容をスクロール速度制御手段１５が参照することにより、スクロール速度が調節される。
【００２７】
スクロール速度自動調節手段１６は、文書情報抽出手段８による情報抽出時の情報をもとにしてスクロール速度を決定する。これは、例えば文書情報抽出手段８について考えると、情報抽出時に計算される各文の重要度をもとにし、重要度とスクロール速度を対応付けるアルゴリズムによりスクロール速度を決定するソフトウェアとして実現が可能である。
【００２８】
このアルゴリズムは、例えばスクロール速度を各文の重要度の逆数に比例する値として計算すれば、重要度の低い文については速い速度でスクロールが行われるため表示が一瞬で過ぎ去り、また重要度の高い文についてはゆっくりとした速度でスクロールが行われるためユーザはその情報をじっくりと読むことが可能となる。
【００２９】
表示属性自動調節手段１８は、文書情報抽出手段による情報抽出時の情報をもとにして表示色や表示サイズ、表示フォントを変更したり、点滅表示させるなどの表示属性を決定し、その内容を表示制御手段１３に送出する。これは、情報抽出時に計算される各文の重要度をもとにし、重要度の高い文のみ表示色を変更するといったアルゴリズムのソフトウェアとして実現が可能である。
【００３０】
言語判別手段９と翻訳処理手段１０を備えることで、情報抽出結果を常に日本語で表示することが可能となる。
言語判別手段９は、対象となる文または文書の文字コードや出現単語を調べるソフトウェアにより実現可能である。
翻訳処理手段１０は、構文解析処理部、格解析処理部、生成処理部などを備えた通常の翻訳処理ソフトウェアなどとして実現可能である。
【００３１】
これら言語判別手段９、翻訳処理手段１０は図２中に示されるように、文書情報抽出手段８と表示順序決定手段１１（後述）の間に挿入することで、文書情報抽出結果に対して翻訳処理を行ってもよいし、あるいは処理順序決定手段７と文書情報抽出手段８の間に挿入することで、文書情報抽出処理を行う前に翻訳処理を行っても構わない。あるいは抽出情報結合手段１２と表示制御手段１３の間に挿入するといったことも可能である。言語判別手段９、翻訳処理手段１０の挿入位置は自由度が高い。
【００３２】
情報抽出対象文書管理手段６は、情報抽出の対象とする複数の文書データを管理するための手段であり、それぞれの文書データへのファイルアクセスを制御するファイルポインタを管理するためのソフトウェアとして実現可能である。これにより、複数の文書に対して続けて情報抽出処理を行うことを可能とする。
抽出情報結合手段１２は、複数の文書データからの情報抽出結果を１つにまとめて表示制御手段１３に送るための手段であるが、これは各文書データからの情報抽出結果を順番に続けてメモリーに書き込み、書き込まれたメモリーの内容を表示制御手段１３へと受け渡すアルゴリズムを持ったソフトウェアとして実現可能である。これにより、一括して結果を表示することが可能になる。
【００３３】
処理順序決定手段７は、情報抽出対象文書管理手段６において管理されている文書データに対して、その処理順序を決定するための手段である。これは、例えば情報抽出対象文書管理手段６において管理されている文書データについて、文書データ作成日時をもとにソートを行うようなソフトウェアにより、作成日時の新しい順番で文書情報抽出手段８に文書データの内容を送出することで実現可能である。
【００３４】
表示順序決定手段１１は、複数の文書データから文書情報抽出手段８によって抽出されたそれぞれの情報抽出結果に対して、その表示順序を決定する手段であるが、これは例えば文書情報抽出手段８において情報抽出時に中間的に作成される抽出結果の重要度などをもとにして、重要度の高かった抽出結果から順に抽出情報結合手段１２へと送信する、といったソフトウェアにより実現可能である。
【００３５】
抽出結果対応管理手段２０は、複数文書データ処理時に、それぞれの文書データからの情報抽出結果と、その元文書データとの対応を保持するための手段である。これは、各文書データからの情報抽出結果と、その元文書のファイルポインタの対応関係をメモリー上に記憶させることで実現可能である。
元文書データ表示指示手段１９は、キーボードやマウスなど、一般の入力装置により実現される。
【００３６】
元文書データ表示指示手段１９よりユーザからの指示を受けたときには、抽出結果対応管理手段２０が管理する対応情報をもとにして現在表示装置に表示中の情報抽出結果に対応する元文書データのファイルポインタを取得し、この文書データの内容を表示制御手段１３に対して送出することで元文書データを閲覧することが可能となる。これによりユーザは複数の文書データの抽出情報をスクロール表示で次々と眺めながら、必要な情報が出現した時点で即座に元の文書データを閲覧することが可能となる。
【００３７】
文書データフィルタリング手段５は、記憶装置１中に格納されている文書データのうち特定条件に従うものだけを情報抽出の対象とするための手段である。これは、例えば記憶装置１中に格納されている各文書データに対して文書データ作成日時を取得するソフトウェアにより、特定期間に作成された文書データのみを情報抽出対象文書管理手段６での管理対象とすることで実現可能である。あるいは、文書データの内容を検索して特定のキーワードを含む文書データを検出するソフトウェアにより、キーワードを含む文書データのみを情報抽出の対象とすることも可能である。
通信手段２は、ネットワーク上に接続された他の計算機と通信を行う手段であるが、これにはイーサネットなど通常のネットワーク環境において使用されるハードウェア、およびそのドライバソフトウェアでよい。
【００３８】
ネットワーク文書取得手段３は、通信手段２によりアクセス可能となったネットワーク上の文書データに対して、その内容を読み出すソフトウェアとして実現可能である。
通信手段２、ネットワーク文書取得手段３を備えることにより、他の計算機の記憶装置中に格納されている文書データであってもネットワークを介して本発明の装置が備える記憶装置１中に存在する文書データと全く同様に情報抽出処理を行うことが可能となる。
【００３９】
ハイパーテキスト自動探索手段４は、ネットワーク文書取得手段３により取得された文書データがハイパーテキスト形式である文書データである場合に、この文書内のリンク情報を解析することで、ネットワーク文書取得手段３で更に次々と文書データを取得するための手段である。これは、例えばインターネットにおいて頻繁に用いられるＨＴＭＬ形式のハイパーテキスト文書であればＨＴＭＬタグを解析し、解析したリンク情報をネットワーク文書取得手段３へと受け渡すソフトウェアとして実現可能である。これにより、ネットワーク上の計算機の記憶装置中に散在する大量の文書データに対して一括で情報抽出処理を行うことが可能となる。
【００４０】
図３、図４、図５、図６は、以上に述べた図２の構成を持つ情報抽出装置全体において、例えば１ヶ月以内に作成された文書データから情報抽出処理を行い、重要度順に結果の表示を行うような場合の処理フロー図である。
ステップＳ１では本発明が備える記憶装置１、あるいは本発明と接続されたネットワーク上の文書データから１ヶ月以内に作成された文書データのみを選択して取得する。これは図２においては記憶装置１、通信手段２、ネットワーク文書取得手段３、ハイパーテキスト自動探索手段４、文書データフィルタリング手段５、情報抽出対象文書管理手段６により行われる。
【００４１】
ステップＳ２では、情報抽出処理を行う順序を決定するために、文書データの作成日時順にソートを行う。この処理は文書データを処理順序決定手段７により行われる。
ステップＳ３では、各文書データから情報抽出処理を行い。それぞれの抽出結果に対して重要度を算出する。この処理は文書情報抽出手段８により行われる。ステップＳ４では、ステップＳ３で処理が行われた抽出結果に対して、これが英文であるときには日本語へと翻訳処理を行う。この処理は言語判別手段９、翻訳処理手段１０により行われる。
【００４２】
ステップＳ５では、各文書データからの抽出結果をステップＳ３で計算された重要度をもとにしてソートする。この処理は表示順序決定手段１１により行われる。
ステップＳ６では抽出結果を順に出力する。この処理は抽出情報結合手段１２、表示制御手段１３、表示手段１４により行われる。
抽出結果の表示中にユーザによって元文書表示指示が行われた場合（ステップＳ１１）には、抽出結果対応管理手段２０によって表示中の抽出結果に対応する元文書データが表示制御手段１３へと送出される（ステップＳ１２）。
【００４３】
抽出結果の表示がすべて終了した時（ステップＳ１３）には、ユーザからの指示の検出を終了する。
抽出結果の表示中、スクロール速度ユーザ設定手段１７によってスクロール速度の設定の変更が行われた場合（ステップＳ２１）には、基本スクロール速度を変更し（ステップＳ２２）、スクロール速度制御手段１５でその速度に応じたタイミング信号を表示制御手段１３に送出する。
【００４４】
表示中の抽出結果の重要度が変化した場合（ステップＳ２３）には、スクロール速度自動調節手段１６において重要度をもとに基本スクロール速度に対するスクロール速度係数を計算し（ステップＳ２４）、スクロール速度を基本スクロール速度とスクロール速度係数の積としてスクロール速度制御手段１５はタイミング信号を表示制御手段１３に対して送出する。
この際、例えば、非重要文から重要文にスクロールしていくとき、重要文が表示に占める割合に応じてスクロールを徐々に遅くしたり、重要文が表示に占める割合が所定値に達したときにスクロールを遅くしたりすることができる。
【００４５】
抽出結果の表示がすべて完了した時（ステップＳ２５）には、スクロール速度の制御を終了する。
また、表示中の抽出結果の重要度が変化した場合（ステップＳ３１）には、表示属性自動調節手段１８において重要度をもとに表示文字サイズ等の表示属性を変更する（ステップＳ３２）。変更された表示属性情報は、表示制御手段に送出される。
抽出結果の表示がすべて完了した時（ステップＳ３３）には、表示属性の制御を終了する。
なお、本発明は上記実施の形態に限定されるものではない。
【００４６】
【発明の効果】
請求項１に係る発明により、文書情報抽出装置において、抽出結果を読みやすい速度でスクロール表示し、動きのある結果表示によってユーザの注意を引き付けやすい、魅力的な表示形態とすることが可能となる。
また例えばある文書の要約結果を、限られた表示領域の中でもユーザにとって読み取りやすい自然な速度となるようスクロール速度を制御しながら表示を行うことによって、マルチタスクオペレーティングシステム上での「ながら」作業の中でも、別の作業を行いながら快適に対象文書のすばやい内容把握が可能となるような文書情報抽出装置を構成することも可能となる。
【００４７】
請求項２に係る発明により、文書データ中の重要文を抽出する文書情報抽出装置において、抽出結果を読みやすい速度でスクロール表示する、新しい表示形態を提供することができる。
請求項３に係る発明により、文書データ中の固有名詞を含む文を抽出する文書情報抽出装置において、抽出結果を読みやすい速度でスクロール表示する、新しい表示形態を提供することができる。
請求項４に係る発明により、文書データ中の日付表現を含む文を抽出する文書情報抽出装置において、抽出結果を読みやすい速度でスクロール表示する、新しい表示形態を提供することができる。
【００４８】
請求項５に係る発明により、スクロール表示の速度をユーザ設定可能とすることができる。
請求項６に係る発明により、スクロール速度を抽出内容に応じて自動的に調節することができる。
請求項７に係る発明により、文字色、文字サイズ、文字フォントなどの表示属性を抽出内容に応じて自動的に調節することができる。
【００４９】
請求項８に係る発明により、外国語で記述された文書データに対しても母国語で抽出結果を表示することができる。
請求項９に係る発明により、複数の文書データに対しても一度に情報抽出処理を行うことができる。
請求項１０に係る発明により、複数の文書データに対して情報抽出処理を行う際に、有用な順番で各文書データの情報抽出処理を行うことができる。
【００５０】
請求項１１に係る発明により、複数の文書データに対して情報抽出処理を行った際に、有用な順番で各文書データからの情報抽出結果を表示することができる。
請求項１２に係る発明により、ユーザが指示した時点で表示されている情報抽出結果に対応する元の文書データを表示することが可能となる。
請求項１３に係る発明により、特定の条件を満たす文書データのみを情報抽出処理の対象とすることができる。
【００５１】
請求項１４に係る発明により、ネットワーク上に存在する文書データに対しても情報抽出処理を行うことができる。
請求項１５に係る発明により、ネットワーク上に存在するハイパーテキスト形式の文書データに関連する文書データについて一括して情報抽出処理を行うことができる。
請求項１６に係る発明により、上記の文書情報抽出装置を記録媒体として実現することができる。
【図面の簡単な説明】
【図１】本発明の一実施の形態による表示の一例を示す図である。
【図２】本発明の一実施の形態の構成を示すブロック図である。
【図３】本発明における、複数の文書データから情報抽出する処理フロー図である。
【図４】本発明における、表示中の抽出情報に対応する元文書を表示する処理フロー図である。
【図５】本発明における、スクロール速度を調節する処理フロー図である。
【図６】本発明における、表示属性を調節する処理フロー図である。
【図７】ＫＷＩＣ形式による情報抽出結果の表示形態の一例を示す図である。
【図１】
0003647283.tif 000002
【図２】
0003647283.tif 000003
【図３】
0003647283.tif 000004
【図４】
0003647283.tif 000005
【図５】
0003647283.tif 000006
【図６】
0003647283.tif 000007
【図７】
0003647283.tif 000008